【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
ベイヤ配列のＲＡＷ画像データを符号化する符号化装置であって、
ＲＡＷ画像データを、Ｒ成分で構成されるＲプレーン、Ｇ０成分で構成されるＧ０プレーン、Ｇ１成分で構成されるＧ１プレーン、及び、Ｂ成分で構成されるＢプレーンの計４プレーンで構成される第１プレーン群に変換する第１の変換手段と、
ＲＡＷ画像データを、輝度成分で構成される輝度プレーンとそれぞれが互いに異なる色差成分で構成される３つの色差プレーンとの計４プレーンで構成される第２プレーン群に変換する第２の変換手段と、
前記第１プレーン群または前記第２プレーン群を符号化する符号化手段と、
符号化対象のＲＡＷ画像データを、前記第１プレーン群または前記第２プレーン群のいずれに変換するかを決定し、前記決定されたプレーン群の各プレーンを前記符号化手段により符号化するように制御する制御手段と
を有することを特徴とする符号化装置。
【請求項２】
複数のＲＡＷ画像データを時系列に入力する入力手段を有し、
前記制御手段は、
前記入力手段に入力される最初のＲＡＷ画像データについては、前記第２の変換手段で前記第２プレーン群に変換して符号化するように制御し、
前記入力手段に入力される２番目以降のＲＡＷ画像データについては、前記最初のＲＡＷ画像データに基づいて、前記第１プレーン群または前記第２プレーン群のいずれに変換するかを決定することを特徴とする請求項１に記載の符号化装置。
【請求項３】
前記符号化手段は、プレーン群の各プレーンについて、ウェーブレット変換、量子化、符号化処理を実行し、
前記制御手段は、前記２番目以降のＲＡＷ画像データについて前記第１プレーン群または前記第２プレーン群のいずれに変換するかを、前記最初のＲＡＷ画像データの第２プレーン群に含まれるプレーンを前記符号化手段によりウェーブレット変換を実行ことにより取得した変換係数に基づいて決定する
ことを特徴とする請求項２に記載の符号化装置。
【請求項４】
前記制御手段は、
前記３つの色差プレーンそれぞれの分散値を算出する算出手段と、
算出した分散値それぞれと、それぞれの色差に対して設定された閾値とを比較することで、少なくとも１つの色差プレーンの分散値が該当する閾値より大きいとする条件を満たすかどうかを判定する条件判定手段とを含み、
前記条件判定手段の判定結果が前記条件を満たすことを示す場合、前記ＲＡＷ画像データを前記第１プレーン群に変換すると判定し、
前記条件判定手段の判定結果が前記条件を満たさないことを示す場合、前記ＲＡＷ画像データを前記第２プレーン群に変換すると判定する
ことを特徴とする請求項１乃至３のいずれか１項に記載の符号化装置。
【請求項５】
前記制御手段は、
前記３つの色差プレーンそれぞれをウェーブレット変換して得られた高周波成分を含むサブバンドの変換係数の絶対値和を、各色差の評価値として算出する算出手段と、
算出した評価値それぞれと、それぞれの色差に対して設定された閾値とを比較することで、少なくとも１つの色差の評価値が該当する閾値より大きいとする条件を満たすかどうかを判定する条件判定手段とを含み、
前記条件判定手段の判定結果が前記条件を満たすことを示す場合、前記ＲＡＷ画像データを前記第１プレーン群に変換すると判定し、
前記条件判定手段の判定結果が前記条件を満たさないことを示す場合、前記ＲＡＷ画像データを前記第２プレーン群に変換すると判定する
ことを特徴とする請求項１乃至３のいずれか１項に記載の符号化装置。
【請求項６】
前記算出手段は、色差毎に、
高周波成分を含むサブバンドＨＬ，ＬＨ，ＨＨごとに絶対値和を算出し、且つ、サブバンドごとに設定された重み係数を各サブバンドの絶対値和に乗じることで、１つの色差の前記評価値を算出することを特徴とする請求項５に記載の符号化装置。
【請求項７】
前記制御手段は、ユーザから指示された圧縮率が予め設定された閾値より大きい場合、前記ＲＡＷ画像データを前記第２プレーン群に変換すると判定し、前記圧縮率が前記閾値以下である場合には前記ＲＡＷ画像データを前記第１プレーン群に変換すると判定することを特徴とする請求項１に記載の符号化装置。
【請求項８】
撮像手段の被写界深度を設定する設定手段を更に有し、
前記制御手段は、前記被写界深度が予め設定された閾値より大きい場合、前記ＲＡＷ画像データを前記第１プレーン群に変換すると判定し、前記被写界深度が前記閾値以下である場合には前記ＲＡＷ画像データを前記第２プレーン群に変換すると判定することを特徴とする請求項１に記載の符号化装置。
【請求項９】
ベイヤ配列のＲＡＷ画像データを符号化する符号化装置であって、
ＲＡＷ画像データを、輝度成分で構成される輝度プレーンとそれぞれが互いに異なる色差成分で構成される３つの色差プレーンとの計４プレーンに変換する変換手段と、
ＲＡＷ画像データの目標符号量を設定する設定手段と、
前記３つの色差プレーンのうちの少なくとも１つの色差プレーンを解析することで、前記設定手段で設定したＲＡＷ画像データの目標符号量から前記輝度プレーンに割り当てる量を決定し、且つ、前記目標符号量における、前記輝度プレーンに割り振った量を減じた残りの量を、各色差プレーンに分配して割り当てる割り当て手段と、
前記変換手段で変換して得られた輝度プレーン、及び３つの色差プレーンのそれぞれを、前記割り当て手段で割り当てた各プレーンに割り当てた符号量を目標符号量として符号化する符号化手段と
を有することを特徴とする符号化装置。
【請求項１０】
前記割り当て手段は、
前記３つの色差プレーンそれぞれの分散値を算出し、当該３つの色差プレーンの分散値の合計値を算出する算出手段を有し、
前記算出手段が算出した分散値の合計値を予め設定された１つ以上の閾値とを比較することで、前記ＲＡＷ画像データの目標符号量のうち前記輝度プレーンに割り当てる符号量を決定し、
前記３つの色差プレーンには、各色差プレーンの分散値の割合に応じた符号量を割り当てる
ことを特徴とする請求項９に記載の符号化装置。
【請求項１１】
ＲＡＷ画像データを時系列に入力する入力手段を有し、
前記符号化手段は、符号化対象のプレーンをＪＰＥＧ２０００に従って符号化し、
前記割り当て手段は、
最初のＲＡＷ画像データについては、予め設定された比率に従って、前記ＲＡＷ画像データの目標符号量を、前記輝度プレーン、前記３つの色差プレーンの符号量として割り当て、
２番目以降のＲＡＷ画像データについては、最初のＲＡＷ画像データを前記符号化手段で符号化する際のウェーブレット変換にて得られた各色差プレーンそれぞれのサブバンドＨＬ，ＬＨ，ＨＨの絶対値和の合計値と閾値とを比較することで、輝度プレーンに割り当てる符号量を決定し、
２番目以降のＲＡＷ画像データの色差プレーンについては、前記絶対値和の合計値に対する、各各色差プレーンの絶対値和の比率に従って割り当てる符号量を決定する
ことを特徴とする請求項９に記載の符号化装置。
【請求項１２】
前記割り当て手段は、サブバンドＨＬ，ＬＨ，ＨＨごとに、ウェーブレット変換の変換係数を累積加算し、サブバンドＨＬ，ＬＨ，ＨＨごとに設定された重み係数を、各サブバンドの累積した値に乗じた値を互いに加算することで、１つの色差プレーンの前記絶対値和を算出することを特徴とする請求項１１に記載の符号化装置。
【請求項１３】
撮像手段の被写界深度を設定する設定手段を更に有し、
前記割り当て手段は、
前記被写界深度と予め設定された閾値とを比較することで、前記ＲＡＷ画像データの目標符号量から前記輝度プレーンに割り当てる量を決定し、
前記目標符号量における、前記輝度プレーンに割り振った量を減じた残りの量を３等分した値を、前記３つの色差プレーンの目標符号量として判定する
ことを特徴とする請求項９に記載の符号化装置。
【請求項１４】
ベイヤ配列のＲＡＷ画像データを符号化する符号化装置の制御方法であって、
ＲＡＷ画像データを、Ｒ成分で構成されるＲプレーン、Ｇ０成分で構成されるＧ０プレーン、Ｇ１成分で構成されるＧ１プレーン、及び、Ｂ成分で構成されるＢプレーンの計４プレーンで構成される第１プレーン群に変換する第１の変換工程と、
ＲＡＷ画像データを、輝度成分で構成される輝度プレーンとそれぞれが互いに異なる色差成分で構成される３つの色差プレーンとの計４プレーンで構成される第２プレーン群に変換する第２の変換工程と、
前記第１プレーン群または前記第２プレーン群を符号化する符号化工程と、
符号化対象のＲＡＷ画像データを、前記第１プレーン群または前記第２プレーン群のいずれに変換するかを決定し、前記決定されたプレーン群の各プレーンを前記符号化工程により符号化するように制御する制御工程と
を有することを特徴とする符号化装置の制御方法。
【請求項１５】
ベイヤ配列のＲＡＷ画像データを符号化する符号化装置の制御方法であって、
ＲＡＷ画像データを、輝度成分で構成される輝度プレーンとそれぞれが互いに異なる色差成分で構成される３つの色差プレーンとの計４プレーンに変換する変換工程と、
ＲＡＷ画像データの目標符号量を設定する設定工程と、
前記３つの色差プレーンのうちの少なくとも１つの色差プレーンを解析することで、前記設定工程で設定したＲＡＷ画像データの目標符号量から前記輝度プレーンに割り当てる量を決定し、且つ、前記目標符号量における、前記輝度プレーンに割り振った量を減じた残りの量を、各色差プレーンに分配して割り当てる割り当て工程と、
前記変換工程で変換して得られた輝度プレーン、及び３つの色差プレーンのそれぞれを、前記割り当て工程で割り当てた各プレーンに割り当てた符号量を目標符号量として符号化する符号化工程と
を有することを特徴とする符号化装置の制御方法。
【請求項１６】
コンピュータが読み込み実行することで、前記コンピュータに、請求項１乃至１３のいずれか１項に記載の符号化装置の各手段として機能させるためのコンピュータプログラム。
【請求項１７】
請求項１６に記載のコンピュータプログラムを格納したコンピュータが読み取り可能な記憶媒体。
【手続補正２】
【補正対象書類名】明細書
【補正対象項目名】０００９
【補正方法】変更
【補正の内容】
【０００９】
この課題を解決するため、例えば本発明の実施態様に従えば、符号化装置は以下の構成を備える。すなわち、
ベイヤ配列のＲＡＷ画像データを符号化する符号化装置であって、
ＲＡＷ画像データを、Ｒ成分で構成されるＲプレーン、Ｇ０成分で構成されるＧ０プレーン、Ｇ１成分で構成されるＧ１プレーン、及び、Ｂ成分で構成されるＢプレーンの計４プレーンで構成される第１プレーン群に変換する第１の変換手段と、
ＲＡＷ画像データを、輝度成分で構成される輝度プレーンとそれぞれが互いに異なる色差成分で構成される３つの色差プレーンとの計４プレーンで構成される第２プレーン群に変換する第２の変換手段と、
前記第１プレーン群または前記第２プレーン群を符号化する符号化手段と、
符号化対象のＲＡＷ画像データを、前記第１プレーン群または前記第２プレーン群のいずれに変換するかを決定し、前記決定されたプレーン群の各プレーンを前記符号化手段により符号化するように制御する制御手段とを有する。